(57)【特許請求の範囲】
【請求項１】
１個のケースと、このケース内に配置され、パチンコ玉の通過方向に一定間隔を置いて形成されるとともに、パチンコ玉の通過方向の寸法よりもパチンコ玉の通過方向に直角方向の寸法が長い形状である２つの突出部を有するコアと、このコアの突出部と同形状の空洞部を有し、前記コアの突出部にそれぞれ空洞部が装着されることで、前記コアにパチンコ玉の通過方向に一定間隔を置いて設けられた２個の検出コイルとを備え、パチンコ玉の通過速さに応じたパルス間隔を置いて検出信号を出力するようにしたことを特徴とするパチンコ玉計数検出器。
【請求項２】
前記２個の検出コイル間に、相互干渉を防止するための磁気遮蔽部を設けたことを特徴とする請求項１記載のパチンコ玉計数検出器。
【請求項３】
前記２個の検出コイルの出力周波数は、相互干渉しない程度に差のある異なる周波数であることを特徴とする請求項１又は請求項２記載のパチンコ玉計数検出器。
【請求項４】
前記２個の検出コイルの出力信号は、一定時間オフディレイされ、パチンコ玉が一定範囲の速さで玉通路の検出箇所を通過するとき、論理処理によりパチンコ玉の通過方向が判断できるように重なっていることを特徴とする請求項１、請求項２又は請求項３記載のパチンコ玉計数検出器。
【発明の詳細な説明】
【０００１】
【発明の属する技術分野】
本発明は、パチンコ玉の通過数（消費数）を検出する検出器に関する。
【０００２】
【従来の技術】
パチンコ台においては、パチンコ玉の通過数を色々な部分で計数し、営業上や不正防止など、経営上の基本的な管理データを得る必要がある。パチンコ玉の通過数を検出する検出器として、本願出願人の先願に係る特願平８−２５１２１８号：「パチンコ玉計数検出器」などの高周波式近接センサを用いるものでは、玉をセンサ用の検出コイルの中を通過させ、精度良く玉の通過方向、即ち正逆の通過方向を検出し、正逆方向に応じて通過数を加算・減算するように構成したものや、玉の通路に外部より光が入らない機構を設け、その機構内に光電センサを配置し、光学的に玉の通過数を検出するように構成したものがある。
【０００３】
しかしながら、後者の光電センサを用いた検出器では、外乱光による誤差は防げるが、パチンコ玉の独特な振動や玉自体の光沢による反射光によって、誤差がよく発生し、精度の良いデータを得ることができない欠点がある。また、パチンコ店内には多種多量の光が用いられているため、パチンコ台の表面部に入射する光が多く、その光を遮蔽する機構を表面部に設けることはデザイン上不可能である。更に、光電センサを用いた検出器では、光電センサに設ける玉通路は玉の直径より１〜２ｍｍしか大きなものでないと玉を検出することが技術的に不可能であり、パチンコ台の表面部における玉通路が広範囲で長い検出距離を要するところには利用できない欠点がある。
【０００４】
一方、前者の高周波式近接センサを用いた検出器では、検出距離は玉の大きさが直径１１ｍｍと小さいため、長い検出距離を確保できず、玉通路を部分的に非常に狭くした箇所にしか設置することができない。これについてもう少し詳しく説明すると、高周波式近接センサは、一般的に次の特質を有している。
ａ）検出コイル径より検出物が大きい場合は、検出コイル（コアを含む）の直径に比例して長い検出距離を確保できる。
ｂ）検出コイル径より検出物が小さい場合は、検出コイル（コアを含む）に占める検出物の大きさに比例して長い検出距離を確保できる。
【０００５】
これらの特質ａ，ｂにより、検出コイルには検出物の大きさに応じた最適な径が要求される。
従来は、例えば図１５及び図１６に示すように、玉ガイド板５１，５２で形成されたパチンコ玉７０の玉通路５０に沿って２個の検出器８０，８１が近接して設置される。パチンコ台では、パチンコ玉７０の移動をスムーズにさせるために、玉ガイド板５１，５２間の距離、２枚のガラス板６１，６２のうちのガラス板６２とゲージ面６５との間の距離をパチンコ玉７０の径よりも十分大きくし、玉通路５０を広くしてある。このため、パチンコ玉７０が玉通路５０のどこを通過しても確実に検出する必要がある。
【０００６】
しかしながら、従来は、検出器８０，８１の検出面（コアとコイルで構成される検出部の端面）８０Ａ，８０Ｂは、玉通路５０の幅に相当する直径を持つ円形であるため、その検出面８０Ａ（８０Ｂ）に対して小さなパチンコ玉７０が占める面積は非常に小さく、長い検出距離を全然確保できない欠点がある。また、２個の検出器８０，８１を極めて高精度に一定間隔を置いて設置する必要があるが、近接配置すると高周波発振を用いるために相互干渉を起こし、検出そのものができなかったり、２個の検出器８０，８１を精度良く設置することができなかったりする。
【０００７】
【発明が解決しようとする課題】
パチンコ台の玉の発射数の計数において、発射された玉はパチンコ台の表面部を通過し、ゲージ内に入りゲームに利用されるものと、一定の速さがないときにゲージ途中より返却され、ゲームに利用されないものとがある。そのため、玉の計数を精度良く行うには、次のような色々な問題を解決しなければならない。
▲１▼発射された玉と返却された玉を精度良く計数し、加算・減算処理を行い、プレーヤの消費した玉数を真に知る必要がある。このためには、玉の速さに応じた非常に精度の良い２つの検出信号を正確な間隔を置いて出力しないと、加算・減算の判別ができないという問題がある。
▲２▼パチンコ台の玉発射部の玉通路幅は玉の直径の約２．３倍の２５ｍｍ前後（ゲージ表面とガラス板面までの距離）あり、しかも検出距離は玉の直径の約１．５倍の１６ｍｍ前後（玉の通過ガイド幅）もあるため、非常に広範囲で高感度の検出器である必要がある。
▲３▼高周波式近接センサを用いた検出器は、光電センサを用いた検出器に対して精度、信頼性などで非常に優れた面が多いが、使用部品などが多く、特に高感度な検出器には大変高価なフェライトコアなどを使用する必要がある。しかし、パチンコ台メーカの競合が激しく、しかも社会経済の状況から低コスト化が要求されている。また、２個の検出器を用いる場合、１個の場合に比べて工数や工賃が２倍になるだけでなく、組立後の特性検査にもコストが非常に掛かる。その上、各検出器には異なる周波数を印加するため、発振回路などに２種類の発注管理や在庫管理などの問題が多い。
▲４▼高周波式近接センサを用いた検出器は、色々な優れた特徴を発揮するが、２個の検出器を近接して配置すると、本質的な高周波相互干渉が発生し、玉の検出を不可能にしたり、或いは検出物が無いにもかかわらず検出信号を出力したりする問題点がある。
▲５▼高周波式近接センサを用いてパチンコ玉を計数するには、玉の進行方向を知ることにより加算・減算を行うことが必要となる。そのためには、２個の検出器を用いて、理想的には電気角９０°の位相差の検出信号を出力させなければならない。これは、前記先願発明でも記載されているが、玉の直径が１１ｍｍの場合、電気角９０°に相当する長さは１１／４＝２．７５ｍｍとなる。しかし、高周波式近接センサの本質的特性から、検出距離は検出コイルの直径におよそ比例するため、２．７５ｍｍの数倍の直径の検出コイルを要する。このことは、即ち２個の検出コイルは電気角９０°の数倍の位置にしか設けることができず、出力信号も同様であることを意味する。従って、そのままの信号では加算・減算の判別ができないこととなる。
【０００８】
つまり、検出コイルは玉の大きさに比べて非常に大きいため、２個の検出コイルからの検出信号はそのままでは電気角９０°は元より、１８０°以上、即ち完全に分離された信号しか得ることができない結果、玉の通過方向を正確に判別できず、従って玉数の加減算の判別をすることができない。
従って、本発明は、そのような問題点に着目してなされたもので、パチンコ玉の計数を広範囲且つ高感度で精度良く行うことができるパチンコ玉計数検出器を提供することを目的とする。
【０００９】
【課題を解決するための手段】
前記目的を達成するために、本発明の請求項１記載のパチンコ玉計数検出器は、１個のケースと、このケース内に配置され、パチンコ玉の通過方向に一定間隔を置いて形成されるとともに、パチンコ玉の通過方向の寸法よりもパチンコ玉の通過方向に直角方向の寸法が長い形状である２つの突出部を有するコアと、このコアの突出部と同形状の空洞部を有し、前記コアの突出部にそれぞれ空洞部が装着されることで、前記コアにパチンコ玉の通過方向に一定間隔を置いて設けられた２個の検出コイルとを備え、パチンコ玉の通過速さに応じたパルス間隔を置いて検出信号を出力するようにしたことを特徴とする。
【００１０】
この検出器では、１個のケース内に配置され、パチンコ玉の通過方向に一定間隔を置いて形成されるとともに、パチンコ玉の通過方向の寸法よりもパチンコ玉の通過方向に直角方向の寸法が長い形状である２つの突出部を有するコアと、このコアの突出部と同形状の空洞部を有し、前記コアの突出部にそれぞれ空洞部が装着されることで、前記コアにパチンコ玉の通過方向に一定間隔を置いて設けられた２個の検出コイルとを備え、パチンコ玉の通過速さに応じたパルス間隔を置いて検出信号を出力するようにしているので、２個の検出器を個別に精度良く設置したり管理する必要がなく、信頼性の高い高精度なパチンコ玉の計数を行うことができる。
また、１個のコアに２個の突出部を設けて、パチンコ玉の通過方向に一定間隔を置いて２個の検出コイルを配置できるので、パチンコ玉の計数をより精度良く行うことが出来る。また、コア（特にフェライトコア）が１個でよいため、部品コスト及び組立工数を低減でき、高信頼性・高精度の検出器を安価に提供できる。
【００１１】
また、コアの突出部が、パチンコ玉の通過方向の寸法よりもパチンコ玉の通過方向に直角方向の寸法が長い形状であり、このコアの突出部を突出部と同形状の空洞部に挿入することにより同形状の検出コイルが装着されているので、検出の信頼度が高く、安定した検出が可能となる。
【００１２】
更に、２個の検出コイルを設ける場合、電磁波は最短の磁路を通るという特質を利用し、２個の検出コイル間に相互干渉を防止するための磁気遮蔽部を設けること（請求項２）により、２個の検出コイルの周波数の相互干渉を防止できる。
更に又、２個の検出コイルを設ける場合、２個の検出コイルの出力周波数を、相互干渉をしない程度に差のある異なる周波数とすること（請求項３）により、高周波発振方式の検出器において起こり得る相互干渉を可能な限り防ぐことができる。勿論、上記磁気遮蔽部と併用すれば、相互干渉の防止効果が一層高まる。
【００１３】
一方、２個の検出コイルを設ける場合、２個の検出コイルの出力信号を一定時間オフディレイし、パチンコ玉が一定範囲の速さで玉通路の検出箇所を通過するときに、論理処理によりパチンコ玉の通過方向が判断できるように出力信号を重ねること（請求項４）により、パチンコ玉の正逆の通過方向を正確に検出し、玉数の加算・減算をより精度良く行うことができる。
【００１４】
即ち、２個の検出コイルの検出信号を一定時間長く遅延させて出力させることにより、パチンコ玉の或る一定範囲の速さ（玉が玉通路の検出箇所を通ってゲージ内に入る速さから、検出箇所には達するがゲージ内に入らずに返却される速さまでの範囲の速さ）において加減算判別を正確に行えるようになる。
なお、本発明において、コアに設ける突出部は、パチンコ玉の通過方向の寸法よりもパチンコ玉の通過方向に直角方向の寸法が長い形状であるが、具体的な形状としては、長円形（楕円形）、長方形などがある。また、２つの突出部間に設ける磁気遮蔽部もコアに一体に設けるのが好ましい。コアの材質としては、フェライト、パーマロイが挙げられるが、渦電流による高周波損失が少ないことや加工性に富むことなどを考慮すると、フェライトが最適である。勿論、コアに装着する検出コイル及びその空胴部の形状も、コアの突出部の形状と同形状である。但し、ここでいう“同形状”とは、全く同じ形状だけでなく、ほぼ同様の似た形状をも含む。
【００１５】
【発明の実施の形態】
以下、本発明を実施の形態に基づいて説明する。
一実施形態に係るパチンコ玉計数検出器を玉通路に隣接して設置した状態での縦断面図を図１に、その正面図を図２に、横断面図を図３に示す。この検出器は、樹脂製のケース１と、ケース１内に配置されたフェライトからなる１個のコア２と、コア２に装着された２個の検出コイル１０Ａ，１０Ｂとを備える。ケース１内には、コア２や検出コイル１０Ａ，１０Ｂの他に、各種電子部品７が実装されたプリント基板８が配置され、検出コイル１０Ａ，１０Ｂのコイル１２がプリント基板８に電気的に接続されると共に、プリント基板８からの電気信号がリード線９を通じて検出器外部に導出される。また、ケース１は着脱可能なカバー１ａを有する。
【００１６】
検出器が設置される玉通路５０は、一定間隔を置いて対向配置された玉ガイド板５１，５２により形成され、この玉通路５０を発射部から発射されたパチンコ玉７０が通過する。但し、パチンコ玉７０の通過方向は、図中の矢印方向が正方向（加算方向）である。検出器の一方側はパチンコ台のゲージ面６５になっており、このゲージ面６５に平行に２枚の透明なガラス板６１，６２が一定間隔を置いて配置されている。検出器及び玉ガイド板５１，５２は、ゲージ面６５とガラス板６２との間の空間に設けられている。
【００１７】
コア２及び検出コイル１０Ａ，１０Ｂは、図４に示すような形態である。コア２の基部はここでは長円形を呈し、その長軸方向がパチンコ玉の通過方向に向くように形成されている。このコア２は、パチンコ玉の通過方向に一定間隔を置いて設けられた２つの突出部２ａ，２ｂを有する。突出部２ａ，２ｂは、それぞれパチンコ玉の通過方向の寸法よりもパチンコ玉の通過方向に直角方向の寸法が長い形状（長円形）である。なお、突出部２ａ，２ｂを除くコア２の基部は長円形である必要はなく、円形、正方形など他の形状でもよい。
【００１８】
検出コイル１０Ａ，１０Ｂは、突出部２ａ，２ｂと同様に長円形であり、ボビン１１と、ボビン１１に巻回されたコイル１２とからなる。ボビン１１はコア２の突出部２ａ，２ｂと同形状の空胴部１１ａを有し、検出コイル１０Ａ，１０Ｂは、空胴部１１ａにコア２の突出部２ａ，２ｂを挿入してコア２に装着される。これにより、１つのコア２の突出部２ａ，２ｂにそれぞれ検出コイル１０Ａ，１０Ｂが位置決めされ、２つの検出部Ａ，Ｂが構成される。
【００１９】
ここに、検出コイルの選択度を高めるなどして各検出コイル１０Ａ，１０Ｂごとに別々のコアを用いてもよいが、特にフェライトコアは検出器のコストの大部分を占める高価なものであるため、２個の検出コイル１０Ａ，１０Ｂを１個のフェライトコアに一体に設ける方が好ましい。これは、検出コイル１０Ａ，１０Ｂ間の距離を精度良く一定に保ち、出力信号間隔を一定にすると共に、幾ら周波数をずらしても避けることのできない相互干渉による検出感度変化が一定になるように、各検出部Ａ，Ｂの干渉を予め考慮して検出感度を設定するためである。これにより、２個の検出器を個別に設置する場合、仕様書でいくら詳細に指定しても、検出器が乱雑に取付けられたり、誤った取付ピッチで取付けられたりする誤用などは完全に防ぐことができる。
【００２０】
前記したように、この検出器における検出部Ａ，Ｂは、玉通路５０を全面的にカバーできるように長円形を成している。この場合、コア２の突出部２ａ，２ｂの玉通過方向の幅（短軸方向の長さ）は玉の直径の約５０％を占める寸法にしてあり、検出コイル１０Ａ，１０Ｂの同方向の幅は玉の直径にほぼ等しい寸法になっている。従って、玉通路５０の幅が約２５ｍｍとしても、検出部Ａ，Ｂの検出面（端面）に対するパチンコ玉の面はおよそ次のようになる。
【００２１】
図５に示す検出部Ａ（Ｂ）の検出面（端面）において、長軸方向の寸法ａ＝２５ｍｍ、短軸方向の寸法ｂ＝１１ｍｍ、左右の円弧部分の半径ｒ＝５．５ｍｍ、円弧部分を除く部分の寸法ｄ＝１４ｍｍとすると、検出面の表面積は、
｛π（１１2 ）／４｝＋（１１×１４）≒９５＋１５４＝２４９ｍｍ2 
となり、パチンコ玉の表面積（円面積）は、
π（１１2 ）／４≒９５ｍｍ2 
であるため、検出部の検出面に対するパチンコ玉の面は、
９５÷２４９≒０．３８
となり、約３８％を占める。これに対して、前記図１６に示すような検出面８０Ａ（８０Ｂ）が円形の場合、その直径が２５ｍｍとすると、検出面に対するパチンコ玉の面は、
｛π（１１2 ）／４｝÷｛π（２５2 ）／４｝≒９５÷４９０≒０．２
となり、およそ２０％しか占めない。
【００２２】
つまり、この実施形態の検出器における長円形の検出面は、従来の円形の検出面に比べて割合が約２倍となるため、パチンコ玉を広範囲にわたって安定して検出することができる。
これは、上記１つのコア２に２個の検出コイル１０Ａ，１０Ｂを設ける場合だけでなく、１つのコアに１個の検出コイルを設ける場合も全く同様であり、同等の特性が得られる。勿論、長円形に代えて長方形でも同じである。
【００２３】
ところで、玉通路５０が特に広い場合、検出器の検出感度を非常に高くしなければならない。ところが、高周波式近接センサでは、検出感度を上げるほど、周囲金属の影響や相互干渉を受けるようになるため、これを防止する必要がある。この対策を施したコア２を図６に示す。図６のコア２では、２つの突出部２ａ，２ｂの間に磁気遮蔽部２ｃが一体に設けられている。磁気遮蔽部２ｃは、コア２の短軸方向に全幅にわたって位置し、その高さは突出部２ａ，２ｂの高さと同じである。但し、図６に示す磁気遮蔽部２ｃは一例であり、検出コイル１０Ａ，１０Ｂからの磁気の相互干渉を防ぐことができるのであれば、どのような形態でもよい。
【００２４】
この磁気遮蔽部２ｃを設けたコア２に検出コイル１０Ａ，１０Ｂを装着し、各検出コイル１０Ａ，１０Ｂに高周波発振回路を接続したときに生ずる磁束の様子を図７に示す。一般に高周波式近接センサは、電磁波を用い、接近する金属による高周波損失や検出コイルのリアクタンス変化を検出するものであるが、特に磁波による検出が主となる。しかしながら、磁気は透磁率の高い所を最短距離で進む特性がある。
【００２５】
そこで、その特性を有効利用するために、コア２の突出部２ａ，２ｂとの間に磁気遮蔽部２ｃを設けると、例えば検出コイル１０Ａから出た磁気は、検出コイル１０Ｂ側の突出部２ｂよりも十分に近い磁気遮蔽部２ｃを通り、検出コイル１０Ａに戻り、検出コイル１０Ｂを通過するのは極僅かである。このことは、検出コイル１０Ｂから出た磁気も同様である。従って、２個の検出コイル１０Ａ，１０Ｂを近接して配置しても、相互干渉が極めて少なくなるため、検出感度を十分に高めることができる。
【００２６】
一方、磁気遮蔽部２ｃを設けない場合は、図８に示すように、検出コイル１０Ａ（１０Ｂ）から出た磁気が相手の検出コイル１０Ｂ（１０Ａ）を通過し易く、場合によっては相互干渉により検出が不可能になったり、或いは検出物（パチンコ玉）が無いにもかかわらず、検出信号が出力されたりすることがある。このため、検出の信頼性や精度を考慮すると、磁気遮蔽部２ｃを設けるのが好ましい。
【００２７】
更に、コア２に磁気遮蔽部２ｃを設けること以外にも、２個の検出コイル１０Ａ，１０Ｂに印加する発振周波数を相互の干渉をしない程度に差のある異なる周波数にすることにより、２個の検出コイル１０Ａ，１０Ｂを接近させて配置しても、高精度で玉数の検出が可能となる。勿論、磁気遮蔽部２ｃと異なる周波数を併用すれば、より一層高精度な玉数検出を行うことができる。
【００２８】
次に、この実施形態の検出器の回路構成の一例をブロック図で図９に示す。検出コイルＬ1 ，Ｌ2 は、上記検出コイル１０Ａ，１０Ｂに相当し、それぞれ発振回路（１）３１-1，（２）３１-2とで高周波発振回路を構成し、各高周波発振回路の出力は、それぞれ検波平滑回路（１）３２-1，（２）３２-2で検波平滑され、レベル弁別回路（１）３３-1，（２）３３-2で玉の有無による発振出力の変化を弁別し、遅延増幅出力回路（１）３４-1，（２）３４-2を経て、玉の検出信号の出力（１）ＤＯ1 ，（２）ＤＯ2 として出力される。出力ＤＯ1 と出力ＤＯ2 の波形は、玉の通過時間差により位相差を持つものとなる。
【００２９】
検出コイルＬ1 ，Ｌ2 からの２つの位相差を持った信号を論理処理する論理回路としては、例えば図１０に示すような回路が使用される。ここに示す論理回路は、一般的なＤタイプフリップフロップを用いた加減判別回路であり、その原理はマイコン等を用いた判別と全く同様な論理である。
図１０において、出力ＤＯ1 は、ノット回路ＮＯＴ１、ノット回路ＮＯＴ２を介してＤ形フリップフロップＤ−ＦＦ１のＣＬ1 端子と、ノア回路ＮＯＲ２の入力の一端に接続され、ノット回路ＮＯＴ１の出力がＤ形フリップフロップＤ−ＦＦ２のＣＬ2 端子と、ノア回路ＮＯＲ１の入力の一端に接続されている。又、出力ＤＯ2 は、Ｄ形フリップフロップＤ−ＦＦ１のＤ1 入力端子と、Ｄ形フリップフロップＤ−ＦＦ２のＤ2 入力端子に接続され、Ｄ形フリップフロップＤ−ＦＦ１のＱ1 バー出力端はノア回路ＮＯＲ１の他の入力の一端に接続され、Ｄ形フリップフロップＤ−ＦＦ２のＱ2 バー出力端はノア回路ＮＯＲ２の他の入力の一端に接続されている。
【００３０】
検出コイルＬ1 （図１０では検出器出力ＤＯ1 ）をクロックとして用い、検出コイルＬ2 （図１０では検出器出力ＤＯ2 ）をデータとして用いると、論理は図１１のタイムチャート及び図１２の真理値表に示すようになる。これは、パチンコ玉が連続して正方向に通過した場合である。この時、出力ＤＯ1 が出力ＤＯ2 より電気的に位相が進んでいる場合、即ち図１においてパチンコ玉７０が矢印方向に移動する場合を通過計数とすると、減算信号であるＮＯＲ１の出力ＮＯ1 がＬ（Ｌｏｗ）、加算信号のＮＯＲ２の出力ＮＯ2 がＨ（Ｈｉｇｈ）となり、加算信号ＮＯＲ２の出力ＮＯ2 が出力され、計数は加算される。
【００３１】
逆に、図１でパチンコ玉が反対方向に移動する場合は、出力ＤＯ2 が出力ＤＯ1 より電気的に位相が進むことになる。この時のタイムチャートを図１３に、真理値表を図１４に示す。これは、現実には有り得ないことではあるが、パチンコ玉が連続して戻ってきた場合である。この場合は、減算信号ＮＯＲ１の出力ＮＯ1 はＨ、加算信号ＮＯＲ２の出力ＮＯ2 はＬとなり、減算信号ＮＯＲ１の出力ＮＯ1 が出力され、計数は減算される。
【００３２】
このように、パチンコ玉の通過計数時に通過数から元に戻った（復帰した）数を差し引くことができ、真の数を計数できる。
図１１及び図１３のタイムチャートから明らかなように、この実施形態では、２個の検出コイル１０Ａ，１０Ｂの間隔が精度良く一定であるため、各検出コイル１０Ａ，１０Ｂからの出力信号は、一定時間オフディレイされ、パチンコ玉が一定範囲の速さで玉通路の検出箇所を通過するときに、論理処理によりパチンコ玉の通過方向が判断できるように重なっている。ここに、一定範囲の速さは、前記したように玉が玉通路の検出箇所を通ってゲージ内に入る速さから、検出箇所には達するがゲージ内に入らずに返却される速さまでの範囲の速さを指す。このように、検出信号を遅延させて位相差を持たせることにより、パチンコ玉が正方向に通過したのか、逆方向に通過したのかを、即ち通過玉信号と返却玉信号を正確に判別でき、真の消費玉数を精度良く計数できる。
【００３３】
以上のように、この実施形態のパチンコ玉計数検出器によれば、マイコンなどを用いてパルス間隔を計測して加減算を推理する従来に比べて、高精度にパチンコ玉の消費数を検出することができる。
【００３４】
【発明の効果】
本発明の請求項１記載の検出器によれば、１個のケース内に配置され、パチンコ玉の通過方向に一定間隔を置いて形成されるとともに、パチンコ玉の通過方向の寸法よりもパチンコ玉の通過方向に直角方向の寸法が長い形状である２つの突出部を有するコアと、このコアの突出部と同形状の空洞部を有し、コアの突出部にそれぞれ空洞部が装着されることで、コアにパチンコ玉の通過方向に一定間隔を置いて設けられた２個の検出コイルとを備えているため、次の効果を有する。
（１）２個の検出器を別個に精度良く設置したり管理したりする必要がない。
（２）取付加工費が少なくて済む上に、周波数の異なる２種類の検出器を購入したり在庫管理したりする必要がない。
（３）予め２個の検出コイルの相互干渉を想定した上で適切な検出感度に設定できるので、信頼性の高い検出を行うことができる。
（４）パチンコ玉の計数をより精度良く行うことができる。また、高価なコア（特にフェライトコア）が１個でよいため、部品コスト及び組立工数を低減でき、非常に安価な検出器を提供できる。
（５）コアの突出部及び検出コイルからなる検出部の検出面に対するパチンコ玉の面の割合を大きくすることができるので、検出の信頼性が高く、広範囲にわたって高感度の検出を行うことができる。
【００３５】
（６）請求項２の構成とすることで、２個の検出コイルの周波数の相互干渉を防止でき、信頼性の高い高感度の検出が可能になる。特に、大きな検出距離を必要とする場合に有効である。
（７）請求項３の構成とすることで、高周波発振方式の検出器において起こり得る相互干渉を可能な限り防ぐことができる。特に、請求項２の構成と併用すれば、相互干渉の防止効果が一層高まる。
（８）請求項４の構成とすることで、出力信号は遅延加工されているため、推理計数でなく論理計数を行うことができ、２個の検出コイル間の距離が短いものから長いものまで、パチンコ玉の正逆の通過方向を正確に検出し、玉数の加算・減算をより精度良く行うことができる。
【図面の簡単な説明】
【図１】実施形態に係るパチンコ玉計数検出器を玉通路に隣接して設置した状態での縦断面図である。
【図２】同検出器の正面図である。
【図３】同検出器の横断面図である。
【図４】同検出器に用いられるコアと検出コイルの斜視図である。
【図５】同検出器において、コアと検出コイルで構成される検出部の検出面（端面）の形状を示す図である。
【図６】同検出器に用いられるコアの別形態を示す斜視図である。
【図７】図６のコアを用いた検出部における磁束の様子を示す断面図である。
【図８】図４のコアを用いた検出部における磁束の様子を示す断面図である。
【図９】同検出器の回路構成の一例を示すブロック図である。
【図１０】同検出器の検出の論理処理回路の一例を示す回路図である。
【図１１】同検出器においてパチンコ玉が連続して正方向（加算方向）に移動した場合のタイムチャートである。
【図１２】図１１の場合における真理値表である。
【図１３】同検出器においてパチンコ玉が連続して逆方向（減算方向）に移動した場合のタイムチャートである。
【図１４】図１３の場合における真理値表である。
【図１５】従来例に係る検出器を玉通路に隣接して設置した状態での側面図である。
【図１６】図１５の検出器の正面図である。
【符号の説明】
１                ケース
２                コア
２ａ，２ｂ        突出部
２ｃ              磁気遮蔽部
１０Ａ，１０Ｂ    検出コイル
１１ａ            空胴部
５０              玉通路
７０              パチンコ玉
Ａ，Ｂ            検出部
【図１】
0004502432.tif 000002
【図２】
0004502432.tif 000003
【図３】
0004502432.tif 000004
【図４】
0004502432.tif 000005
【図５】
0004502432.tif 000006
【図６】
0004502432.tif 000007
【図７】
0004502432.tif 000008
【図８】
0004502432.tif 000009
【図９】
0004502432.tif 000010
【図１０】
0004502432.tif 000011
【図１１】
0004502432.tif 000012
【図１２】
0004502432.tif 000013
【図１３】
0004502432.tif 000014
【図１４】
0004502432.tif 000015
【図１５】
0004502432.tif 000016
【図１６】
0004502432.tif 000017